(57)【特許請求の範囲】
【請求項１】
地盤に埋設された部位を有する既設構造物を補強する既設構造物の補強方法であって、
前記既設構造物の周囲に、仮設構造物を前記地盤に圧入することにより設置し、
前記既設構造物の補強すべき補強部分の周囲に、補強鋼板を設置し、
前記仮設構造物に、前記補強鋼板を前記地盤に圧入する圧入装置を取り付け、
前記圧入装置が前記補強鋼板を前記地盤に圧入する際に必要な圧入反力を、前記仮設構造物から得るようにしたこと
を特徴とする既設構造物の補強方法。
【請求項２】
前記圧入装置は、
前記補強鋼板を加圧する加圧機構と、
前記仮設構造物に設置され、前記加圧機構に圧入反力を与える圧入反力ブラケットと、
を備えること
を特徴とする請求項１記載の既設構造物の補強方法。
【請求項３】
前記既設構造物は水中既設構造物であり、前記仮設構造物は仮締切であること
を特徴とする請求項１又は２に記載の既設構造物の補強方法。
【請求項４】
前記既設構造物は土中既設構造物であり、前記仮設構造物は土留めであること
を特徴とする請求項１又は２に記載の既設構造物の補強方法。
【請求項５】
前記既設構造物は水中既設構造物であり、前記仮設構造物は仮締切及び土留めの双方の機能を有すること
を特徴とする請求項１又は２に記載の既設構造物の補強方法。
【請求項６】
前記補強鋼板の前記地盤への圧入は、前記仮設構造物内の作業スペースの前記地盤への圧入箇所をウェットな状態として行われること
を特徴とする請求項１〜５のいずれか１つに記載の既設構造物の補強方法。
【発明の詳細な説明】
【技術分野】
【０００１】
この発明は、既設構造物の補強方法に関する。
【背景技術】
【０００２】
既設橋脚・基礎を補強するために、従来の補強方法と比べ、補強鋼板を地中に圧入する補強方法が施工性、経済性に優れていることから採用されている。補強鋼板を地中に圧入する補強方法としては、ブラケットなどを設置する従来の方法の他に、特許文献１及び特許文献２が知られている。
【先行技術文献】
【特許文献】
【０００３】
【特許文献１】特開２０１２−１６７４７４号公報
【特許文献２】特開２００２−００４３０１号公報
【発明の概要】
【発明が解決しようとする課題】
【０００４】
しかし、特許文献１の「圧入装置」は、アンカー材により柱状構造物に固定されることから、既設鉄筋が干渉しないように削孔する必要があるとともに、アンカーの引抜性能から大きい圧入反力を得ることができない、という事情がある。
【０００５】
また、特許文献２の「柱状構造物の補強方法」は、グラウンドアンカーを施工し、グリッパーロッドに油圧ジャッキを固定することから、大きな圧入反力を得ることができる。しかしながら、ボーリングマシン等でグラウンドアンカーを施工する作業スペースが必要となる、という事情がある。この事情は、土留め、仮締切が必要な施工条件の場合、顕著である。
【０００６】
この発明は、上記事情に鑑みて為されたもので、その目的は、小さい作業スペースで簡易な施工が可能で、しかも、大きな圧入反力を得ることが可能な既設構造物の補強方法を提供することにある。
【課題を解決するための手段】
【０００７】
第１発明に係る既設構造物の補強方法は、地盤に埋設された部位を有する既設構造物を補強する既設構造物の補強方法であって、前記既設構造物の周囲に、仮設構造物を前記地盤に圧入することにより設置し、前記既設構造物の補強すべき補強部分の周囲に、補強鋼板を設置し、前記仮設構造物に、前記補強鋼板を前記地盤に圧入する圧入装置を取り付け、前記圧入装置が前記補強鋼板を前記地盤に圧入する際に必要な圧入反力を、前記仮設構造物から得るようにしたことを特徴とする。
【０００８】
第２発明に係る既設構造物の補強方法は、第１発明において、前記圧入装置は、前記補強鋼板を加圧する加圧機構と、前記仮設構造物に設置され、前記加圧機構に圧入反力を与える圧入反力ブラケットと、を備えることを特徴とする。
【０００９】
第３発明に係る既設構造物の補強方法は、第１発明又は第２発明において、前記既設構造物は水中既設構造物であり、前記仮設構造物は仮締切であることを特徴とする。
【００１０】
第４発明に係る既設構造物の補強方法は、第１発明又は第２発明において、前記既設構造物は土中既設構造物であり、前記仮設構造物は土留めであることを特徴とする。
【００１１】
第５発明に係る既設構造物の補強方法は、第１発明又は第２発明において、前記既設構造物は水中既設構造物であり、前記仮設構造物は仮締切及び土留めの双方の機能を有することを特徴とする。
【００１２】
第６発明に係る既設構造物の補強方法は、第１発明〜第５発明のいずれか１つにおいて、前記補強鋼板の前記地盤への圧入は、前記仮設構造物内の作業スペースの前記地盤への圧入箇所をウェットな状態として行われることを特徴とする。
【発明の効果】
【００１３】
第１発明〜第６発明では、圧入装置が補強鋼板を地盤に圧入する際に必要な圧入反力を、仮設構造物から得るようにしたので、例えば、
（１）既設構造物から圧入反力を得る場合と比較して、より大きな圧入反力を得ることが可能となる。  
（２）グラウンドアンカーから圧入反力を得る場合と比較して、仮設構造物の寸法を、グラウンドアンカーの施工を考慮せずに済み、仮設構造物の寸法を縮小することが可能となる。  
（３）グラウンドアンカーから圧入反力を得る場合と比較して、グラウンドアンカーの施工工程を省略でき、簡易な施工が可能となる。  
したがって、第１発明〜第６発明に係る既設構造物の補強方法によれば、小さい作業スペースで簡易な施工が可能で、しかも、大きな圧入反力を得ることが可能な既設構造物の補強方法を提供できる。
【００１４】
また、第２発明では、第１発明において使用可能な圧入装置の具体的な例を提供できる。
【００１５】
また、第３発明〜第５発明では、第１発明又は第２発明において使用可能な仮設構造物の具体的な例を提供できる。
【００１６】
また、第６発明では、補強鋼板の前記地盤への圧入を、仮設構造物内の作業スペースをウェットな状態として行う。したがって、仮設構造物内を、例えば、底まで排水せずに済み、既設構造物に対する補強施工を、より簡易なものとすることができる。
【図面の簡単な説明】
【００１７】
【図１】図１は、この発明の一実施形態に係る既設構造物の補強方法の一例を示す模式側面図である。
【図２】図２は、この発明の一実施形態に係る既設構造物の補強方法の一例を示す模式側面図である。
【図３】図３は、この発明の一実施形態に係る既設構造物の補強方法の一例を示す模式側面図である。
【図４】図４は、この発明の一実施形態に係る既設構造物の補強方法の一例を示す模式側面図である。
【図５】図５は、この発明の一実施形態に係る既設構造物の補強方法の一例を示す模式側面図である。
【図６】図６は、この発明の一実施形態に係る既設構造物の補強方法の一例を示す模式側面図である。
【図７】図７は、この発明の一実施形態に係る既設構造物の補強方法の一例を示す模式側面図である。
【図８】図８は、この発明の一実施形態に係る既設構造物の補強方法の一例を示す模式側面図である。
【図９】図９は、この発明の一実施形態に係る既設構造物の補強方法の一例を示す模式側面図である。
【図１０】図１０は、この発明の一実施形態に係る既設構造物の補強方法の一例を示す模式側面図である。
【図１１】図１１は、この発明の一実施形態に係る既設構造物の補強方法の一例を示す模式側面図である。
【図１２】図１２は、圧入装置の一例を示す模式側面図である。
【図１３】図１３（ａ）は、参考例に係る既設構造物の補強方法を示す模式側面図である。図１３（ｂ）は、実施形態に係る既設構造物の補強方法を示す模式側面図である。
【図１４】図１４（ａ）は、この発明の一実施形態に係る既設構造物の補強方法の別の例を模式側面図である。図１４（ｂ）は、この発明の一実施形態に係る既設構造物の補強方法の更に別の例を模式側面図である。
【発明を実施するための形態】
【００１８】
以下、この発明の一実施形態を、図面を参照しながら説明する。各図において、共通する部分については、共通する参照符号を付し、重複する説明は省略する。
【００１９】
（既設構造物の補強方法）
図１〜図１１は、この発明の一実施形態に係る既設構造物の補強方法の一例を示す模式側面図である。
【００２０】
図１に示すように、一実施形態では、地盤２１に埋設された部位を有する既設構造物１として、橋梁を例示する。橋梁は、水中既設構造物である。橋梁の橋脚は、水面下の地盤２１中に形成された基礎、例えばコンクリート基礎２２上に立設される。
【００２１】
次に、図２に示すように、仮設構造物３１を既設構造物１の周囲に設置する。仮設構造物３１の一例は、仮締切である。仮締切は、地盤２１に圧入されて既設構造物１の補強すべき補強部分、例えば橋梁の橋脚を取り囲むように設置される。これにより、仮設構造物３１の内側には、既設構造物１の補強部分を取り囲むように、補強作業に使用される作業スペースＳが確保される。
【００２２】
次に、図３に示すように、作業スペースＳ内を部分的に排水し、既設構造物１の内側壁面に、補強作業の際、作業者が歩行及び作業する足場４１を設置する。
【００２３】
次に、図４に示すように、既設構造物１の補強すべき補強部分の周囲に、補強鋼板５１を設置する。補強部分の一例は、橋脚である。補強鋼板５１は、橋脚の周囲に設置される。補強鋼板５１は、いくつかのセグメントを、例えば溶接により接合することにより、橋脚の周囲に橋脚を取り囲むように設置される。このような補強鋼板５１を複数設置し、補強鋼板５１を地盤２１上に着底させる。
【００２４】
次に、図５に示すように、仮設構造物３１に、圧入装置６１を取り付ける。圧入装置６１は、補強鋼板５１を地盤２１に圧入する装置である。
【００２５】
図１２は、圧入装置の一例を示す模式側面図である。
【００２６】
図１２に示すように、圧入装置６１の一例は、加圧機構６２と、圧入反力ブラケット６３と、圧入反力伝達部材６４と、を含む。
【００２７】
加圧機構６２は、補強鋼板５１（図５）を加圧する。加圧機構６２は、例えば、ジャッキ部６２１と、ベース鋼板６２２と、加圧鋼板６２３と、を有する。加圧鋼板６２３は、ベース鋼板６２２に取り付けられ、補強鋼板５１と接触して補強鋼板５１に圧入圧力を加える。ジャッキ部６２１は、ベース鋼板６２２に取り付けられており、ベース鋼板６２２を介して加圧鋼板６２３に圧入圧力を加える。
【００２８】
圧入反力ブラケット６３は、仮設構造物３１に設置される。圧入反力ブラケット６３は、加圧機構６２を支持する支持具であり、加圧機構６２に圧入反力を与える。圧入反力ブラケット６３は、アンカー材６３１（例えばボルト等）によって、仮設構造物３１に支持される。
【００２９】
圧入反力伝達部材６４は、圧入反力ブラケット６３に設置され、圧入反力ブラケット６３と固定される。圧入反力伝達部材６４は、仮設構造物３１からの圧入反力を、圧入反力ブラケット６３を介して加圧機構６２に対して伝達する。圧入反力伝達部材６４は、例えばＰＣ鋼棒（ゲビン棒）である。圧入反力伝達部材６４は、必要に応じて設けられる。例えば、仮設構造物３１からの圧入反力を、圧入反力ブラケット６３を介して直接に加圧機構６２に伝達可能な場合には、圧入反力伝達部材６４は省略することが可能である。
【００３０】
このような一例に係る圧入装置６１では、補強鋼板５１を地盤２１に圧入する際に必要な圧入反力を、仮設構造物３１、即ち仮設構造物３１の自重、仮設構造物３１と地盤２１との周面摩擦力及び仮設構造物３１と地盤２１との固定力等から得ることができる。
【００３１】
次に、図６に示すように、圧入装置６１を用いて、補強鋼板５１を地盤２１に圧入する。この際の圧入反力は、仮設構造物３１から得ている。
【００３２】
次に、図７に示すように、１回の圧入で、補強鋼板５１がコンクリート基礎２２に達しない場合には、既設構造物１の補強すべき補強部分の周囲に、補強鋼板５１を設置する。
【００３３】
次に、図８に示すように、再度、圧入装置６１を用いて、補強鋼板５１を地盤２１に圧入する。
【００３４】
次に、図９に示すように、図７及び図８に示した工程を繰り返すことで、補強鋼板５１がコンクリート基礎２２に達することで、補強鋼板５１の地盤２１への圧入が完了する。この後、補強鋼板５１と既設構造物１、例えば橋脚との間にコンクリート等の補強充填材を充填することにより、橋脚の下部の補強作業が完了する。
【００３５】
次に、図１０に示すように、既設構造物１の補強すべき補強部分、橋脚の上部周囲に、例えば巻立により上部補強鋼板５２を設置する。
【００３６】
次に、図１１に示すように、足場４１及び仮設構造物３１を撤去する。これにより、既設構造物１の補強作業が完了する。
【００３７】
このように一実施形態に係る既設構造物の補強方法では、
１．既設構造物１の周囲に、仮設構造物３１を地盤２１に圧入することにより設置し（例えば図２）、
２．既設構造物１の補強すべき補強部分の周囲に、補強鋼板５１を設置し（例えば図４）、
３．仮設構造物１に、補強鋼板５１を地盤２１に圧入する圧入装置６１を取り付ける（例えば図５）。
４．圧入装置６１が補強鋼板５１を地盤２１に圧入する際に必要な圧入反力を、仮設構造物３１から得る。
【００３８】
このような一実施形態に係る既設構造物の補強方法によれば、例えば、以下Ａ〜Ｃのような利点を得ることができる。  
Ａ．既設構造物から圧入反力を得る場合と比較して、より大きな圧入反力を得ることが可能となること。  
Ｂ．グラウンドアンカーから圧入反力を得る場合と比較して、仮設構造物の寸法を、グラウンドアンカーの施工を考慮せずに済み、仮設構造物の寸法を縮小することが可能となること。  
Ｃ．グラウンドアンカーから圧入反力を得る場合と比較して、グラウンドアンカーの施工工程を省略でき、簡易な施工が可能となること。
【００３９】
上記利点Ｂについて、詳細に説明する。  
図１３（ａ）は、参考例に係る既設構造物の補強方法を示す模式側面図である。図１３（ｂ）は、実施形態に係る既設構造物の補強方法を示す模式側面図である。
【００４０】
図１３（ａ）に示すように、参考例は、圧入装置６１ｒの圧入反力をグラウンドアンカー６５から得る。この場合、仮設構造物３１内の作業スペースＳに、グラウンドアンカー６５を地盤２１に挿入するためのボーリングマシンの設置及びボーリングマシンによる施工のためのスペースが必要となる。このため、仮設構造物３１の、例えば鋼矢板幅Ｗｒが大きくなってしまう、という事情がある。
【００４１】
これに対して、図１３（ｂ）に示すように、実施形態では、圧入装置６１の圧入反力を仮設構造物３１から得る。このため、仮設構造物３１内の作業スペースＳに、ボーリングマシンの設置及びボーリングマシンによる施工のためのスペースが不要である。したがって、仮設構造物３１の、例えば鋼矢板幅Ｗ１は、参考例の鋼矢板幅Ｗｒと比較して、小さくできるのである（Ｗ１＜Ｗｒ）。
【００４２】
このように、実施形態では、参考例と比較して、仮設構造物３１の寸法を縮小することができる。
【００４３】
したがって、一実施形態に係る既設構造物の補強方法によれば、小さい作業スペースで簡易な施工が可能で、しかも、大きな圧入反力を得ることが可能な既設構造物の補強方法を提供できる。
【００４４】
＜既設構造物の補強方法の別の例＞
図１４（ａ）は、この発明の一実施形態に係る既設構造物の補強方法の別の例を模式側面図である。
【００４５】
図１４（ａ）に示すように、既設構造物３１は、土中既設構造物であってもよい。この場合、既設構造物３１は、例えば土留めとなる。既設構造物３１が土留めであったとしても、この発明に係る既設構造物の補強方法は、適用することが可能である。
【００４６】
また、土留めである既設構造物３１の作業スペースＳ内に、地下水７１が存在していたとしても、全てを排水する必要はない。このため、補強作業を、上記一実施形態と同様に簡易なものとすることができる。
【００４７】
＜既設構造物の補強方法の更に別の例＞
図１４（ｂ）は、この発明の一実施形態に係る既設構造物の補強方法の更に別の例を模式側面図である。
【００４８】
図１４（ｂ）に示すように、仮設構造物３１は仮締切及び土留めの双方の機能を有していても良い。図１４（ｂ）では、仮設構造物３１の一面が水中にあり、仮設構造物３１の他面が土中にある例が示されている。この発明に係る既設構造物の補強方法は、仮設構造物３１の全ての面のそれぞれが水中又は土中にある場合に限られるものではなく、水中及び土中に混在している場合でも、適用可能である。
【００４９】
以上、この発明を一実施形態を参照して説明したが、一実施形態は例として提示したものであり、発明の範囲を限定することは意図していない。この発明の実施形態は、上記一実施形態が唯一の実施形態でもない。また、一実施形態は、様々な新規な形態で実施することができ、一実施形態は、この発明の要旨を逸脱しない範囲で、種々の省略、置き換え、変更も可能である。このような新規な形態や変形は、この発明の範囲や要旨に含まれるとともに、特許請求の範囲に記載された発明、及び特許請求の範囲に記載された発明の均等物の範囲に含まれる。
【符号の説明】
【００５０】
１    ：既設構造物
２１  ：地盤
２２  ：コンクリート基礎
３１  ：仮設構造物（仮締切）
４１  ：仮足場
５１  ：補強鋼板
５２  ：上部補強鋼板
６１  ：圧入装置
６１ｒ：圧入装置（参考例）
６２  ：加圧機構
６２１：ジャッキ部
６２２：ベース鋼板
６２３：加圧鋼板
６３  ：圧入反力ブラケット
６３１：アンカー材
６４  ：圧入反力伝達部材
６５  ：グラウンドアンカー
７１  ：地下水
Ｓ    ：作業スペース
Ｗｒ  ：鋼矢板幅（参考例）
Ｗ１  ：鋼矢板幅（実施形態）
【要約】
【課題】小さい作業スペースで簡易な施工が可能で、しかも、大きな圧入反力を得ることが可能な既設構造物の補強方法を提供すること。
【解決手段】地盤に埋設された部位を有する既設構造物（１）を補強する既設構造物の補強方法であって、既設構造物（１）の周囲に、仮設構造物（３１）を地盤（２１）に圧入することにより設置し、既設構造物（１）の補強すべき補強部分の周囲に、補強鋼板（５１）を設置し、仮設構造物（３１）に、補強鋼板（５１）を地盤（２１）に圧入する圧入装置（６１）を取り付け、圧入装置（６１）が補強鋼板（５１）を地盤（２１）に圧入する際に必要な圧入反力を、仮設構造物（３１）から得る。
【選択図】図５【図１】
0006740503.tif 000002
【図２】
0006740503.tif 000003
【図３】
0006740503.tif 000004
【図４】
0006740503.tif 000005
【図５】
0006740503.tif 000006
【図６】
0006740503.tif 000007
【図７】
0006740503.tif 000008
【図８】
0006740503.tif 000009
【図９】
0006740503.tif 000010
【図１０】
0006740503.tif 000011
【図１１】
0006740503.tif 000012
【図１２】
0006740503.tif 000013
【図１３】
0006740503.tif 000014
【図１４】
0006740503.tif 000015